(57)【特許請求の範囲】
【請求項１】
ディスク引込排出用のローディングモータを有するローディング機構と、ピックアップ送り用のフィードモータを有するフィード機構と、ディスク回転用のスピンドルモータを備え、これら各モータに接続する電気的制御手段を有するディスクレコード再生装置において、前記ローディング機構と前記フィード機構に用いる駆動源は単一のローディング・フィード兼用モータであって、フィード機構及びローディング機構の何れか一の機構と係合する選択的駆動力伝達手段を有し、前記スピンドルモータは、前記電気的制御手段が出力する信号に基づいて正逆両方向への回転が可能なモード切替兼用スピンドルモータであって、この正逆何れかの回転力を受けて前記選択的駆動力伝達手段を何れか一の機構に係合せしめるモード切替手段を備えることを特徴とするディスクレコード再生装置。
【請求項２】
前記モード切替手段は、前記回転力を受けてスピンドルモータ軸に対し接近又は離隔する移動部材と、この移動部材と前記選択的駆動力伝達手段に連結して移動方向に基づいて前記選択的駆動力伝達手段を何れか一の機構に係合せしめる操作杆を有することを特徴とする請求項１記載のディスクレコード再生装置。
【請求項３】
前記モード切替手段は、前記回転力を受ける回転部材と、この回転部材と前記選択的駆動力伝達手段に連結して回転方向に基づいて前記選択的駆動力伝達手段を何れか一の機構に係合せしめる回転力伝達部材を有することを特徴とする請求項１記載のディスクレコード再生装置。
【発明の詳細な説明】
【０００１】
【発明の属する技術分野】
この発明は、ローディング機構とフィード機構に用いる駆動源を兼用するディスクレコード再生装置に関する。
【０００２】
【従来の技術】
ディスクレコード再生装置は、装置内に挿入したディスクをローデイング機構により再生可能な定位置に自動的に移送し、このディスクに対してフィード機構によりピックアップを径方向へ移動してディスクの再生を行っているが、従来のディスクレコード再生装置では、ローデイング機構とフィード機構との駆動源及びそれらの駆動系を夫々独立に設けていた。
【０００３】
従来のディスクレコード再生装置の構成を図１２に基づき説明する。ディスクレコード再生装置１は、内部にディスク２を収納し下面側にレーザ光導入孔３が形成されているディスクカートリッジ４を、機器本体内に配設するシャーシ５に装填して再生を行う。シャーシ５の下面にはスピンドルモータ６が固定されており、シャーシ５から上方に突出する回転軸６ａにはターンテーブル７が固定されている。
【０００４】
又シャーシ５には、前後方向に延びるガイドネジ軸８が配設されており、ピックアップ９に形成する支持部９ａの孔内にこのガイドネジ軸８が螺合している。ガイドネジ軸８の側方にはフィードモータ１０が配設されており、このモータ１０の回転力は、フィードギアトレイン１１を経てガイドネジ軸８のフィードピニオンギヤ１１ａに伝達されるようになっている。この構成のもとに、フィードモータ１０を回転させた場合には、回転力がガイドネジ軸８に伝達され、これに螺合するピックアップ９が前方または後方に移動する。
【０００５】
ピックアップ９の信号読取り部９ｂは、ディスクカートリッジ４がディスク２を再生動作させることのできる定位置におかれている場合に、レーザ光導入孔３の直下方を前後方向に移動し、ディスク２に記録されている信号を読み取ることができる。このようなピックアップ９を移動させる機構は、ディスク２に記録されている信号トラック上に常に光焦点を合致させるための図示しないトラッキングサーボ制御装置と共にフィード機構を構成している。
【０００６】
又シャーシ５にはローディングモータ１２と、これに接続するローディングギアトレイン１３が配設され、ディスクカートリッジ４に連結するディスク引込みラック１４を前後方向に移動する。又、ディスクカートリッジ４の挿入を検知するディスクイン検出スイッチ１５と、ディスク２が再生可能な定位置に近接したことを検知するディスクセット検出スイッチ１６が夫々配設されている。
【０００７】
このディスクレコード再生装置１の動作手順を図１３に基づき説明する。図１３はディスク検出スイッチの作動と各モータの駆動の関係を示すタイミングチャートである。ディスク２の再生を行う場合には、ディスクカートリッジ４を機器本体内に挿入すると、先ずディスクイン検出スイッチ１５によってディスクカートリッジ４の挿入が検知され図示しない電気的制御手段を介してローデイングモータ１２が引込方向に回転制御される。この回転力がローディングギアトレイン１３を介してディスク引込みラック１４を移動させ、ディスクカートリッジ４をシャーシ５内方の所定位置まで移動すると、ディスクセット検出スイッチ１６がこれを検出する（図１３におけるＡ区間）。
【０００８】
次に電気的制御手段を介してローディングモータ１２を停止させると共に、一定のタイムラグをおいてスピンドルモータ６を正回転させ、次いでフィードモータ１０を正回転させる。これによりピックアップ９の信号読取り部９ｂがディスクカートリッジ４のレーザ光導入孔３の直下を移動しディスク２に記録された信号を正規に読み取り、ディスク２の再生がなされる。
【０００９】
ディスク２の再生が終了すると、フィードモータ１０を停止させ、その後スピンドルモータ６を停止する（図１３におけるＢ区間）。
【００１０】
その後イジェクトモードに移行する場合には、所定操作により電気的制御手段を介してローディングモータ１２を排出方向に逆回転させるとローディングピニオンギヤ１３ａはローディング時と逆方向に回転し、ディスクカートリッジ４を排出方向に移動させる。この時先ずディスクセット検出スイッチ１６がオフとなり、次いでディスクイン検出スイッチ１５がオフとなる。これを受けて電気的制御手段がローディングモータ１２の回転を停止しイジェクトモードが終了する（図１３におけるＣ区間）。
【００１１】
【発明が解決しようとする課題】
このように従来のディスクレコード再生装置１は、ディスク引込排出用のローディングモータ１２と、ピックアップ送り用のフィードモータ１０と、ディスク回転用のスピンドルモータ６に夫々独立した３個のモータを使用していた。前述したように、フィードモータ１０は正反回転を行うことでピックアップ９をディスク２の内周又は外周に送り、ローディングモータ１２も正反回転を行うことでディスク２の引込み又は排出を行っていたが、スピンドルモータ６は正回転のみで逆方向の回転は行っていなかった。
【００１２】
又ローディングモータ１２が駆動しているセットモード（図１３におけるＡ又はＣ区間）ではフィードモータ１０とスピンドルモータ６は回転せず、逆にディスク信号を読み取るリードモード（図１３におけるＢ区間）ではローディングモータ１２が回転していなかった。
【００１３】
即ち、従来のディスクレコード再生装置１ではセットモード（Ａ・Ｃ区間）で使用するローデイング機構と、リードモード（Ｂ区間）で使用するフィード機構の駆動源に夫々別個の駆動モータを必要としていたので、装置の構成が複雑となる欠点があった。又、コスト低下や機器の軽量化を図る上でも改善の余地が残されていた。
【００１４】
この発明は、上記課題を解決し、ローディング機構とフィード機構に用いる駆動源の兼用化を図ると共に、従来使用していなかったスピンドルモータの逆方向回転を利用することで構成の簡易化、コスト低減、軽量化を実現できるディスクレコード再生装置を提供することを目的としている。
【００１５】
【課題を解決するための手段】
上記課題を解決するため、この発明のディスクレコード再生装置は、ローディング機構とフィード機構に用いる駆動源に単一のローディング・フィード兼用モータを使用し、何れか一の機構と係合する選択的駆動力伝達手段を有し、電気的制御手段が出力する信号に基づいて正逆両方向への回転が可能なモード切替兼用スピンドルモータを備え、この正逆何れかの回転力を受けて前記選択的駆動力伝達手段を何れか一の機構に係合せしめるモード切替手段を備えることを特徴とするものである。
【００１６】
選択的駆動力伝達手段は、ローディング機構とフィード機構の間に配設される移動可能な駆動力伝達手段である。又モード切替手段は、モード切替兼用スピンドルモータと機械的に連結する手段で、正逆何れかの回転力を受けて位置を移動し、このモード切替手段の移動を利用してこれと接続する選択的駆動力伝達手段を何れか一の機構に係合せしめるものである。
【００１７】
モード切替兼用スピンドルモータは、ローディングモードに移る際にモータを逆回転させてローディング機構に選択的駆動力伝達手段を係合せしめ、リードモードではモータを正回転させると共に、この正回転力を利用して選択的駆動力伝達手段をフィード機構に係合せしめる。
【００１８】
請求項２記載のディスクレコード再生装置のモード切替手段は、モード切替兼用スピンドルモータの回転力を受けてスピンドルモータ軸に対し接近又は離隔する移動部材と、この移動部材と前記選択的駆動力伝達手段に連結して移動方向に基づいて前記選択的駆動力伝達手段を何れか一の機構に係合せしめる操作杆を有することを特徴とするものである。
【００１９】
移動部材は回転力の慣性を利用する構成、例えばスピンドルモータの回転に伴って首振り動作を行い、これによって操作杆を移動する構成でもよいし、カムをスピンドルモータ軸に設け、これに当接する従節で操作杆を移動させるものでもよい。
【００２０】
請求項３記載のディスクレコード再生装置のモード切替手段は、モード切替兼用スピンドルモータの回転力を受ける回転部材と、この回転部材と前記選択的駆動力伝達手段に連結して回転方向に基づいて前記選択的駆動力伝達手段を何れか一の機構に係合せしめる回転力伝達部材を有することを特徴とするものである。
【００２１】
回転部材はスピンドルモータ軸に同軸で取り付けられるギア及び／又はこれと噛合するギアで、回転力伝達部材の存在により、その回転方向に選択的駆動力伝達手段を回動する。回転力伝達部材は、スピンドルモータ軸反転時の弱い回転力で作動し、ディスク回転時には過度の回転力を伝達しないような構成とする。
【００２２】
【発明の実施の形態】
次にこの発明の実施の形態を添付図面に基づき詳細に説明する。図１はディスクレコード再生装置の機器本体要部を示す平面図、図２及び図４は選択的駆動力伝達手段とモード切替手段の連結状況を示す概略構成図、図３及び図５は夫々図２のＩＩＩ−ＩＩＩ断面、図４のＶ−Ｖ断面を示す断面図である。なお図１乃至図５において図１２と同様な構成・作用を示す部材は同一の符号を付して詳しい説明は省略する。
【００２３】
このディスクレコード再生装置１０１では、ローディングギアトレイン１１３とフィードギアトレイン１１１の間にローディング・フィード兼用モータ１１０を配設すると共に、何れか一のギアトレインと噛合する選択的駆動力伝達手段であるモード切替ギア１１２を備え、これを移動させるためのモード切替手段であるモード切替アーム１１４を連結する。
【００２４】
又、シャーシ５の下面に配設するスピンドルモータ６は、図示しない電気的制御手段に接続してその出力する信号に基づいて正逆両方向への回転が可能なモード切替兼用のスピンドルモータであって、シャーシ５から上方に突出する回転軸６ａにはスピンドルカム１１５がターンテーブル７の下方に固定されている。
【００２５】
このスピンドルカム１１５のカム溝１１５ａに当接する従節のスピンドルレバー１１６は、回転軸６ａに対し接近又は離隔可能な構成で、これに連結するモード切替アーム１１４はその動きに伴い揺動する。
【００２６】
このディスクレコード再生装置１０１の動作手順を図６のタイミングチャートに基づき説明する。ディスク２の再生を行う場合には、ディスクカートリッジ４を機器本体内に挿入すると、先ずディスクイン検出スイッチ１５によってディスクカートリッジ４の挿入が検知され、図示しない電気的制御手段を介して先ずスピンドルモータ６を一時的に逆回転させる。
【００２７】
この時図２および図３に示すように、スピンドルレバー１１６はスピンドルカム１１５の外方に押出される。スピンドルレバー１１６の後端に斜状に形成するガイド面１１６ａには、ヒンジ支点１１４ａに支持されるモード切替アーム１１４の一端１１４ｂが摺動可能に当接しており、スピンドルレーバー１１６の後退に伴い一端１１４ｂがガイド面１１６ａを上昇する。
【００２８】
一方モード切替ギア１１２の回転軸頂部に接続するモード切替アーム１１４の他端１１４ｃは、上方に付勢するコムスプリング１１２ａの弾性力に抗してモード切替ギア１１２を降下させるようになり、ローディングギアトレイン１１３と噛合させる。この段階でモード切替アーム１１４は図示しないラッチ機構により機械的に固定される。
【００２９】
モード切替ギア１１２は、その外周に形成する大径ギア１１２ｂをローディング・フィード兼用モータ１１０と同軸の駆動ギア１１０ａに噛合しながら上下移動し得る構成で、大径ギア１１２ｂの下面にローディングベベルギア１１２ｃ、上面にフィードベベルギア１１２ｄを備える。
【００３０】
ローディングベベルギア１１２ｃとローディングギアトレイン１１３が噛合した後、ローディング・フィード兼用モータ１１０を引込方向に回転制御し、ディスクカートリッジ４をシャーシ５内方の所定位置まで移動すると、ディスクセット検出スイッチ１６がこれを検出する（図６におけるＡ区間）。
【００３１】
次に電気的制御手段を介してローディング・フィード兼用モータ１１０を停止させると共に、一定のタイムラグをおいてスピンドルモータ６を正回転させる。この正転動作により図４及び図５に示すように、スピンドルレバー１１６はスピンドルカム１１５の内方に移動する。
【００３２】
これに伴いモード切替アーム１１４の一端１１４ｂがガイド面１１６ａに沿って下降し、逆に他端１１４ｃは上昇してモード切替ギア１１２のフィードベベルギア１１２ｄをフィードギアトレイン１１１と噛合させる。これによってローディングモードが解除され再生（演奏）モードへ移行することになる。
【００３３】
この後、ローディング・フィード兼用モータ１１０を所定方向に回転させピックアップ９を移動してディスク２の再生を行う。ディスク２の再生が終了すると、ローディング・フィード兼用モータ１１０を停止させ、その後スピンドルモータ６を停止する（図６におけるＢ区間）。
【００３４】
その後イジェクトモードに移行する場合にも、先ずスピンドルモータ６を一時的に逆回転させる。これにより再度図２及び図３の状態に戻り、スピンドルレバー１１６はスピンドルカム１１５の外方に移動し、モード切替アーム１１４の一端１１４ｂがガイド面１１６ａに沿って上昇し、他端１１４ｃは下降してモード切替ギア１１２のローディングベベルギア１１２ｃとローディングギアトレイン１１３が噛合するようになる。
【００３５】
この状態でローディング・フィード兼用モータ１１０を排出方向に回転制御するとディスクカートリッジ４が排出方向に移動し、ディスクセット検出スイッチ１６がオフとなり、次いでディスクイン検出スイッチ１５がオフとなる。これを受けて電気的制御手段がローディング・フィード兼用モータ１１０の回転を停止しイジェクトモードが終了する（図６におけるＣ区間）。
【００３６】
次に別の実施形態を図７乃至図９に基づき説明する。図７は別の実施形態のディスクレコード再生装置の機器本体要部を示す平面図、図８は選択的駆動力伝達手段とモード切替手段の連結状況を示す概略構成図、図９は図８のＩＸ−ＩＸ断面を示す断面図である。なおこれらの図においても図１２と同様な構成・作用を示す部材は同一の符号を付して詳しい説明は省略する。
【００３７】
このディスクレコード再生装置２０１では、ローディングギアトレイン２１３とフィードギアトレイン２１１の間にローディング・フィード兼用モータ２１０を配設すると共に、何れか一のギアトレインと噛合する選択的駆動力伝達手段であるモード切替ギア２１２を備え、チェンジギア軸２１２ａをモード切替手段であるモード切替アーム２１４の先端に軸支する。
【００３８】
このスピンドルモータ６も正逆両方向への回転が可能なモード切替兼用のスピンドルモータであって、シャーシ５から上方に突出する回転軸６ａにはスピンドルギア２１５がターンテーブル７の下方に固定されている。
【００３９】
このスピンドルギア２１５に噛合するフリクションギア２１６は、その回転軸２１６ａの頂部にフリクションスプリング２１６ｂを設け、フリクションギア２１６とフリクションスプリング２１６ｂで挟持するモード切替アーム２１４を回動する。
【００４０】
このディスクレコード再生装置２０１においてもディスク２の再生を行う場合には、先ずディスクイン検出スイッチ１５によって挿入を検知し、スピンドルモータ６を一時的に逆回転させる。この時各部材は図９の実線矢印方向に回動し、モード切替ギア２１２は、兼用モータ伝達ギアトレイン２１５とローディングギアトレイン１１３に噛合する。この段階でモード切替アーム２１４は図示しないラッチ機構により機械的に固定される。
【００４１】
その後、ローディング・フィード兼用モータ２１０を引込方向に回転制御し、ディスクカートリッジ４をシャーシ５内方の所定位置まで移動すると、ディスクセット検出スイッチ１６がこれを検出する。次に電気的制御手段を介してローディング・フィード兼用モータ２１０を停止させると共に、一定のタイムラグをおいてスピンドルモータ６を正回転させる。この正転動作により各部材が今度は図９の破線矢印方向に回動し、モード切替ギア２１２は、兼用モータ伝達ギアトレイン２１５とフィードギアトレイン２１１に噛合するようになる。これによってローディングモードが解除されリードモードへ移行する。
【００４２】
この後、ローディング・フィード兼用モータ２１０を所定方向に回転させピックアップ９を移動してディスク２の再生を行い、ディスク２の再生が終了すると、ローディング・フィード兼用モータ２１０を停止させた後スピンドルモータ６を停止する。
【００４３】
イジェクトモードにおいては先ずスピンドルモータ６を一時的に逆回転させ、再度図９の実線矢印方向に回動して、モード切替ギア２１２を兼用モータ伝達ギアトレイン２１５とローディングギアトレイン１１３に噛合させ、ローディング・フィード兼用モータ２１０を排出方向に回転制御する。
【００４４】
次に更に別の実施形態を図１０及び図１１に基づき説明する。図１０及び図１１は別の実施形態のディスクレコード再生装置の選択的駆動力伝達手段とモード切替手段の連結状況を示す概略構成図である。このディスクレコード再生装置においても、ローディングギアトレイン３１３とフィードギアトレイン３１１の間にローディング・フィード兼用モータ３１０を配設すると共に、何れか一のギアトレインと噛合する選択的駆動力伝達手段であるモード切替ギア３１２を備え、これを移動させるためのモード切替手段であるモード切替アーム３１４を連結する。
【００４５】
正逆両方向への回転が可能なモード切替兼用スピンドルモータと同軸のターンテーブル７の下面には首振り板３１５がスライド可能に保持されている。この首振り板３１５の略中央部から一端にかけては、ターンテーブル７の下面に突設する突起７ａを係合する円弧状溝３１５ａが形成され、他端下面にはピン３１５ｂが突設している。首振り板３１５はターンテーブル７の下面に設けるスライドガイド７ｂに保持されており、このガイドの下がり壁７ｃ，７ｄの範囲内で首振り動作が可能である。
【００４６】
モード切替アーム３１４は首振り板３１５下側に隙間を開けて二股の長短レバー３１４ａ，３１４ｂを延設しており、夫々の先端部には円弧状のリブ３１４ｃ，３１４ｄをピン３１５ｂ方向に立設する。このリブ３１４ｃ，３１４ｄのみがピン３１５ｂに衝突し得る位置に配設される。又長レバー３１４ａには引張バネ３１６が取り付けられ、ヒンジ支点３１４ｅを中心にしてモード切替アーム３１４の一端が図１０の上方に付勢されている。
【００４７】
モード切替アーム３１４の他端３１４ｆは、モード切替ギア３１２の回転軸頂部３１２ａに当接している。モード切替ギア３１２はコムスプリング３１２ｂにより上方に付勢されており、下方にローディングベベルギア３１２ｃ、上方にフィードベベルギア３１２ｄを備える。このモード切替ギア３１２は上下動移動な構成でローディング・フィード兼用モータ３１０と同軸の駆動ギア３１０ａに噛合すると同時にローディングギアトレイン３１３又はフィードギアトレイン３１１と噛合する。又モード切替アーム３１４には図示しないラッチ機構が設けられており、何れか一のギアトレインと噛合した時に機械的に固定される。
【００４８】
このディスクレコード再生装置においてもディスクの再生を行う場合には、先ずスピンドルモータを一時的に逆回転させる。この時ターンテーブル７の下面に突設する突起７ａは円弧状溝３１５ａの回転方向端部に移動してこれを押圧すると、首振り板３１５はスライドガイド７ｂに沿って移動し、ピン３１５ｂがスピンドルモータの回転軸６ａから離隔する方向に移動する。
【００４９】
外方に移動したピン３１５ｂが短レバー３１４ｂのリブ３１４ｄに衝突すると、スピンドルモータの回転力により短レバー３１４ｂを引張バネ３１６の弾性力に抗して押し下げる。これにより図１０の実線で示す位置にモード切替アーム３１４が回動し、モード切替ギア３１２は、駆動ギア３１０ａとローディングギアトレイン１１３に噛合する。この段階でモード切替アーム３１４は図示しないラッチ機構により機械的に固定される。
【００５０】
リードモードに移行する時には図１１に示すようにスピンドルモータを正回転させる。この正転動作により突起７ａは円弧状溝３１５ａの回転方向端部に移動してこれを押圧すると、首振り板３１５はスライドガイド７ｂに沿って移動し、ピン３１５ｂが回転軸６ａに接近する方向に移動する。
【００５１】
内方に移動したピン３１５ｂが長レバー３１４ａのリブ３１４ｃに衝突すると、スピンドルモータの回転力により長レバー３１４ａをコムスプリング３１２ｂの弾性力に抗して押し上げる。これにより図１１の実線で示す位置にモード切替アーム３１４が回動し、モード切替ギア３１２は、駆動ギア３１０ａとフィードギアトレイン３１１に噛合する。
【００５２】
【発明の効果】
以上説明したように、この発明のディスクレコード再生装置は、ローディング機構とフィード機構に用いる駆動源に単一のローディング・フィード兼用モータを使用するのでコスト低減、軽量化を実現できる。又、モード切替兼用スピンドルモータの正逆何れかの回転力を受けて選択的駆動力伝達手段を何れか一の機構に係合せしめるモード切替手段を備えるので、従来使用していなかったスピンドルモータの逆方向回転を利用することができ、構成の簡易化にもつながる。
【００５３】
請求項２記載のディスクレコード再生装置のモード切替手段は、モード切替兼用スピンドルモータの回転力を受けてスピンドルモータ軸に対し接近又は離隔する移動部材を設けるので、平面的スペースが限定される場合に有利である。請求項３記載のモード切替手段は、モード切替兼用スピンドルモータの回転力を受ける回転部材を設けるので、モード切替が簡易かつ確実である。
【図面の簡単な説明】
【図１】ディスクレコード再生装置の機器本体要部を示す平面図である。
【図２】選択的駆動力伝達手段とモード切替手段の連結状況を示す概略構成図である。
【図３】図２のＩＩＩ−ＩＩＩ断面を示す断面図である。
【図４】選択的駆動力伝達手段とモード切替手段の連結状況を示す概略構成図である。
【図５】図４のＶ−Ｖ断面を示す断面図である。
【図６】ディスクレコード再生装置のタイミングチャートである。
【図７】別の実施形態のディスクレコード再生装置の機器本体要部を示す平面図である。
【図８】別の実施形態の選択的駆動力伝達手段とモード切替手段の連結状況を示す概略構成図である。
【図９】図８のＩＸ−ＩＸ断面を示す断面図である。
【図１０】他の実施形態のディスクレコード再生装置の選択的駆動力伝達手段とモード切替手段の連結状況を示す概略構成図である。
【図１１】他の実施形態のディスクレコード再生装置の選択的駆動力伝達手段とモード切替手段の連結状況を示す概略構成図である。
【図１２】従来のディスクレコード再生装置の機器本体要部を示す平面図である。
【図１３】従来のディスクレコード再生装置のタイミングチャートである。
【符号の説明】
１１０  ローディング・フィード兼用モータ
１１１  フィードギアトレイン
１１２  モード切替ギア
１１３  ローディングギアトレイン
１１４  モード切替アーム
１１６  スピンドルレバー
【図１】
0003564523.tif 000002
【図２】
0003564523.tif 000003
【図３】
0003564523.tif 000004
【図４】
0003564523.tif 000005
【図５】
0003564523.tif 000006
【図６】
0003564523.tif 000007
【図７】
0003564523.tif 000008
【図８】
0003564523.tif 000009
【図９】
0003564523.tif 000010
【図１０】
0003564523.tif 000011
【図１１】
0003564523.tif 000012
【図１２】
0003564523.tif 000013
【図１３】
0003564523.tif 000014